(57)【特許請求の範囲】
【請求項１】
安定化すべき地山の設置面に設置されるブロックに設けたテーパ孔に適合する外周面を有し、アンカー材頭部支持部材が嵌合するテーパ孔を偏心的に有している偏心ライナーを使用し、予め設置してあるアンカー材と設置面に配置したブロックとの結合部におけるブロックテーパ孔に上記の偏心ライナーを嵌め、偏心ライナーテーパ孔の中心線がアンカー材の延伸方向と同じ方向になるように偏心ライナーをブロックテーパ孔内で回転させることを特徴とする、地山斜面安定化用ブロックと、このブロックを地山に固定するためのアンカー材との結合部におけるアンカー材の調心方法。
【請求項２】
安定化すべき地山の設置面に設置されるブロックに設けたテーパ孔に適合する外周面を有し、且つ偏心テーパ孔を有している偏心ライナーと、この偏心ライナーのテーパ孔に嵌合するアンカー材頭部支持部材とを有することを特徴とする、地山斜面安定化用ブロックと、このブロックを地山に固定するためのアンカー材との結合部におけるアンカー材の調心装置。
【請求項３】
ブロックテーパ孔を多角形とし、偏心ライナーの外周面も同様の多角形の角錐形とすることを特徴とする、請求項２に記載の調心装置。
【発明の詳細な説明】
【０００１】
【発明の属する技術分野】
本発明は、地山斜面の安定化に関するものであり、特にその安定化を、地山斜面にブロックを設置し、このブロックをアンカー材によって地山に固定することによって達成するものに関し、更にその中でも、ブロックとアンカー材との結合部におけるアンカー材調心方法及び装置に関する。アンカー材の調心という用語は、本明細書では、アンカー材における張力の作用方向を、上記の結合部を含めて略々一線上に置くということを意味している。
【０００２】
【従来の技術】
ブロックを設置することによる従来の地山斜面安定化の方法は例えば特開平６−１７４２５号公報に示されている。この方法は図３に示すように、地山１の一部１ａを切り取って設置面１ｂを形成し、次いでアンカーケーブル、アンカーロッドなどのアンカー材３を設置し、アンカー材３の定着後上記設置面１ｂにコンクリート製ブロック２を配置し、予め設置しておいたアンカー材３の頭部３ａとブロック２とを結合し、アンカー材頭部３ａに設けた締め付け手段６によりブロック２を設置面１ｂに対して押し付けて固定するものである。アンカー材３の設置は、地山の設置面１ｂから地中に向けて、ボーリングマシーン等の穿孔機によってアンカー孔１ｃを削孔し、次いでアンカー材３をアンカー孔に挿入し、アンカー材基部３ｂを、アンカー孔１ｃ内に注入したセメント等の固結材３ｃによって固定することによって行われる。
【０００３】
ブロック２には、その中央部に設けられるアンカー材との結合部に、アンカー材基部３ｂに向けて先細りのテーパ孔２ａが形成されており、このテーパ孔にはこの孔のものと実質的に同じテーパを有する外周面を持つ截頭円錐台状のアンカー材頭部支持部材４が嵌め込まれる。アンカー材３は、アンカー材頭部支持部材４に設けた孔を通り抜けて同支持部材の頂面から突出しており、この突出部にはアンカー材を掴む手段５と、アンカー材に対して支持部材４をアンカー材基部３ｂ方向へ締め付ける締付け手段６が取り付けられている。なお、図中７は、上記結合部が配置されている凹陥部２ｂを覆い、内部にある部材を保護する蓋である。
【０００４】
【発明が解決しようとする課題】
上記のようにアンカー材を地山に設置する際、地山の状況や作業の仕方などの様々な原因により、アンカー材が地山設置面１ｂに対して常に直角に設置されるとは限らない。直角でない場合、ブロック２を設置面１ｂの所定の位置に配置し、アンカー材頭部３ａとの結合を行ったとき、アンカー材３はその頭部３ａとそれ以外の部分との間が屈曲した状態となり、張力の及ぶ方向が一線上にならないために、アンカー材３の支持作用が十分に発揮される状態とならず、好ましくない。そのため、従来、ブロック２のテーパ孔２ａを、設置アンカー材３の延伸方向に合わせて偏向させて形成し、アンカー材頭部支持部材４をテーパ孔２ａに嵌めた状態で、アンカー材頭部とそれ以外のアンカー材部分とが一線上に調心されるような方策が執られている。しかしながら、テーパ孔２ａをアンカー材３の設置状況に合わせて、その都度そのように偏向させて形成することは、作業、時間、経費の何れの面においても極めて不利である。
【０００５】
従って本発明の課題は、ブロックのテーパ孔を調整変更することなく、簡単且つ任意にアンカー材の調心ができるようにする方法及び装置を提供することである。
【０００６】
【課題を解決するための手段】
上記の課題は、本発明によれば、ブロックに設けたテーパ孔に適合する外周面を有し、アンカー材頭部支持部材が嵌合するテーパ孔を偏心的に有している偏心ライナーを使用し、予め設置してあるアンカー材と設置面に配置したブロックとの結合部におけるブロックテーパ孔に上記の偏心ライナーを嵌め、偏心ライナーテーパ孔の中心線がアンカー材の延伸方向と同じ方向になるように偏心ライナーをブロックテーパ孔内で回転させることによって解決される。
【０００７】
この方法によれば、上記のような偏心ライナーを用い、この偏心ライナーをブロックテーパ孔内で回転調節するだけでアンカー材の調心（アンカー頭部の角度調整）ができるので、ブロックテーパ孔の軸心の角度がアンカー材の延伸方向に合うように調整したブロックをその都度準備することなく、迅速且つ簡単に且つ安価に調心作業が達成できる。
【０００８】
また、上記の課題は、本発明によれば、ブロックに設けたテーパ孔に適合する外周面を有し、且つ偏心テーパ孔を有している偏心ライナーと、この偏心ライナーのテーパ孔に嵌合するアンカー材頭部支持部材とを有する装置によって達成できる。
【０００９】
この装置によれば、従来構成のブロックに対して偏心ライナーを付加して使用するだけで、アンカー材の調心を自在に行うことができる。
【００１０】
ブロックテーパ孔の横断面形状を円形とする代わりに多角形とし、偏心ライナーの外周面も同様の多角形の角錐形とすれば、アンカー頭部の角度調整は段階的なものとなるが、一旦角度調整された偏心ライナーはブロックテーパ孔内で回動することなく、調整状態に維持される。
【００１１】
【発明の実施の形態】
以下添付図面の図１及び２を参照して本発明の実施の形態を説明する。なお、図３に示す部材と同じ部材には同じ符号を付して、詳細な説明を省略する。
【００１２】
図１はブロック２のアンカー材との結合部を縦断面にて示しており、図２は図１のブロックの平面図である。
【００１３】
ブロック２は従来のものと同様にコンクリート製であって、全体的に略十字形または矩形形状を有している。ブロック２の中央部には上方へ向かって拡開している凹陥部２ｂが形成され、この凹陥部の底部２ｃと地表面に接する底面２ｄとの間にはブロック２の厚さ方向に貫通するテーパ孔２ａが形成されている。図示の実施形態では、このテーパ孔２ａは、補強用として設けた鉄製で漏斗状の保護材２ｅの内周面によって形成されている。
【００１４】
上記のテーパ孔２ａには偏心ライナー８が嵌合している。この偏心ライナーはテーパ孔２ａに適合する外周面を有し、且つ截頭円錐台形のアンカー材頭部支持部材４が嵌合するテーパ孔８ａを偏心的に有している。従って、テーパ孔８ａの中心線８ｂはブロックテーパ孔２ａの中心線２ａ１に対して角度θを成しており、この角度θは偏心ライナー８をテーパ孔２ａ内で回転させて相対位置を変更しても常に一定に維持される。この角度θは偏心テーパ孔８ａの中心線の傾きが異なる他の偏心ライナーを用いることにより変更することができる。
【００１５】
明らかなように、支持部材４の外周テーパ面とテーパ孔８のテーパ面とは同じ円錐面上にある。偏心ライナー８は金属製であることが好ましいが、プラスチックやその他の材料で製作したものであってもよい。
【００１６】
ブロックテーパ孔２ａを多角形の角錐形とし、これに合わせて偏心ライナー８の外周面も多角形の角錐形としてもよい。
【００１７】
ブロック２の設置作業を行う場合、まずブロック２が地山の設置面１ｂ（図３参照）の所定箇所に定置され、それと共に、予め設置してあるアンカー材３（図３参照）の頭部がブロック２の底面２ｄの側より偏心ライナーテーパ孔８ａ内に引き込まれる。次にアンカー材３の延伸方向と偏心ライナーテーパ孔８ａの中心線が同方向若しくは略同方向になるように偏心ライナー８がブロックテーパ孔２ａ内で回転せしめられる。偏心ライナーのこのような回転によっても、両者が同方向にならない場合には、当該偏心ライナーはテーパ孔８ａの中心線８ｂの傾きが異なる他の偏心ライナー８に取り換えられる。どの偏心ライナーを使用するかは、ブロック設置面１ｂとアンカー材３との間の成す角度によって見当をつけることができる。設置面１ｂとアンカー材３との間の角度が直角乃至はそれに近い場合には、偏心ライナーに代えて、テーパ孔８ａが同心的に設けられたライナーが使用される。
【００１８】
偏心ライナー８の上記のような角度位置の調整後、偏心ライナーテーパ孔８ａ内に嵌挿されるアンカー材頭部支持部材４に軸線方向に設けた貫通孔にアンカー材頭部が挿通され、次いで支持部材４から上方へ突出したアンカー材部分が掴み手段５（図３）によって掴まれ、次いで締付け手段６により、支持部材４に対してアンカー材を上方へ引き出すように相対移動させることによって、アンカー材は緊張されると共に、支持部材４は偏心ライナー８及びブロック２と一体化され、それと共にブロック２が地山の設置面１ｂに押し付けられ、ブロック２の設置が完了する。
【００１９】
【発明の効果】
上記のように本発明によれば、適当な軸線の傾きを有するテーパ孔を持つ偏心ライナーを選択し、それをブロックテーパ孔内で回転させることによってアンカー材の調心が達成されるので、調心のためのコストが比較的安価になり、また調心作業も簡単に行うことができ、従ってブロックの経済的で迅速な設置が可能となり、またブロック自体は均一のものを製作すればよいので安価に大量生産することができる。
【図面の簡単な説明】
【図１】本発明によるアンカー材調心方法及び装置を示す、ブロック中央部の縦断面図である。
【図２】アンカー材頭部支持部材を取り除いた状態での図１の平面図である。
【図３】地山斜面に設置されたブロックとアンカー材との関係を示す、断面図である。
【符号の説明】
１  ‥‥  地山
１ｂ‥‥  ブロック設置面
１ｃ‥‥  アンカー孔
２  ‥‥  ブロック
２ａ‥‥（ブロックの）テーパ孔
２ｄ‥‥（ブロックの）底面
３  ‥‥  アンカー材
３ａ‥‥  アンカー材頭部
４  ‥‥  アンカー材頭部支持部材
５  ‥‥（アンカー材頭部の）掴み手段
６  ‥‥  締付け手段
８  ‥‥  偏心ライナー
８ａ‥‥（偏心ライナーの）テーパ孔
【図１】
0003748467.tif 000002
【図２】
0003748467.tif 000003
【図３】
0003748467.tif 000004